(57)【特許請求の範囲】
【請求項１】
透過性を有する第１スクリーンと、
前記第１スクリーンの観察面とは反対の裏面側に設けられた反射型の第２スクリーンと、
前記第１スクリーンと前記第２スクリーンとの間に設けられ、前記第１スクリーンの前記裏面側から前記第１スクリーンへ映像を直接投影する第１投影装置と、
前記第１スクリーンと前記第１投影装置との間の位置、または前記第１スクリーンと前記第２スクリーンとの間でかつ前記第１スクリーンからの距離が前記第１投影装置と同距離の位置に設けられ、前記第２スクリーンの観察面となる表面側へ映像を直接投影する第２投影装置と、
を含む映像投影システム。
【請求項２】
映像を投影する映像モードと、光を投影して照明する照明モードと、を有し、前記映像モードの場合に、前記第１スクリーン及び前記第２スクリーンの少なくとも一方へ所定の映像を投影し、前記照明モードの場合に、前記第１スクリーン及び前記第２スクリーンの少なくとも一方へ照明光を投影するように、前記第１投影装置及び前記第２投影装置を制御するモード制御手段を更に含む請求項１に記載の映像投影システム。
【請求項３】
前記第１スクリーン、前記第２スクリーン、前記第１投影装置、及び前記第２投影装置のセットを複数セット有し、
前記セット毎に異なる映像を各スクリーンへ投影するように、各セットの前記第１投影装置及び前記第２投影装置を各々制御する投影制御手段を更に含む請求項１又は請求項２に記載の映像投影システム。
【請求項４】
人を検出する人検出手段を備え、前記人検出手段の検出結果に基づいて、人が存在する領域へ光を投影するように、前記第１投影装置及び前記第２投影装置の少なくとも一方を制御する光制御手段を更に含む請求項１〜３の何れか１項に記載の映像投影システム。
【請求項５】
人を検出する人検出手段を備え、前記人検出手段の検出結果に基づいて、人の移動に追従して光を投影するように、前記第１投影装置及び前記第２投影装置の少なくとも一方を制御する光追従制御手段を更に含む請求項１〜４の何れか１項に記載の映像投影システム。
【請求項６】
目覚まし時刻を設定する設定手段と、前記設定手段によって設定された目覚まし時刻に映像又は光を投影するように、前記第１投影装置及び前記第２投影装置の少なくとも一方を制御する目覚まし制御手段を更に含む請求項１〜５の何れか１項に記載の映像投影システム。
【請求項７】
天空を撮影する撮影手段を備え、前記撮影手段によって撮影された天空映像を投影するように、前記第１投影装置及び前記第２投影装置の少なくとも一方を制御する天空映像制御手段を更に含む請求項１〜６の何れか１項に記載の映像投影システム。
【請求項８】
緊急地震速報を受信する受信手段を備え、前記受信手段によって緊急地震速報を受信した場合に、前記第１スクリーン又は前記第２スクリーンの一方に地震情報を投影し、前記第１スクリーン又は前記第２スクリーンの他方に間欠的に光を投影するように、前記第１投影装置及び前記第２投影装置を制御する地震制御手段を更に含む請求項１〜７の何れか１項に記載の映像投影システム。
【請求項９】
前記地震制御手段は、非常用電源を更に備えると共に、地震波到達後に、避難情報及びテレビ番組の少なくとも一方を投影するように、前記第１投影装置及び前記第２投影装置を更に制御する請求項８に記載の映像投影システム。
【請求項１０】
前記第２スクリーンを部屋の天井に設け、前記第１スクリーンの一端を前記天井に固定し、他端を前記部屋の壁面に固定して前記壁面から離れるに従って前記天井に近づくように傾斜して配置し、かつ前記第１投影装置及び前記第２投影装置を前記第１スクリーンと前記第２スクリーンとの間の前記壁面に設けた請求項１〜９の何れか１項に記載の映像投影システム。
【発明の詳細な説明】
【技術分野】
【０００１】
本発明は、プロジェクタ等の投影装置からスクリーンに映像を投影する映像投影システムに関する。
【背景技術】
【０００２】
プロジェクタなどの投影装置からスクリーンに映像を投影する映像投影システムとしては種々の技術が提案されている。  
【０００３】
例えば、特許文献１に記載の技術では、重ねて配置された複数のスクリーンに、それぞれ対応するプロジェクタ（投影装置）を設けて、各プロジェクタから各スクリーンに対して同一方向から映像を投影することにより、立体的な映像を表示することが提案されている。
【先行技術文献】
【特許文献】
【０００４】
【特許文献１】特許第４８４９０９１号公報
【発明の概要】
【発明が解決しようとする課題】
【０００５】
しかしながら、特許文献１に記載の技術では、全てのスクリーンに対して同一の方向から映像を投影するので、最後部又は最前部のスクリーンに映像を投影する投影装置を、複数のスクリーン間の外側に配置する必要があるため、装置全体で大きなスペースが必要となり、改善の余地がある。
【０００６】
本発明は、上記事実を考慮して成されたもので、複数のスクリーンと複数の投影装置を備えた映像投影システムの省スペース化を可能にすることを目的とする。
【課題を解決するための手段】
【０００７】
上記目的を達成するために請求項１に記載の発明は、透過性を有する第１スクリーンと、前記第１スクリーンの観察面とは反対の裏面側に設けられた反射型の第２スクリーンと、前記第１スクリーンと前記第２スクリーンとの間に設けられ、前記第１スクリーンの前記裏面側から前記第１スクリーンへ映像を直接投影する第１投影装置と、前記第１スクリーンと前記第１投影装置との間の位置、または前記第１スクリーンと前記第２スクリーンとの間でかつ前記第１スクリーンからの距離が前記第１投影装置と同距離の位置に設けられ、前記第２スクリーンの観察面となる表面側へ映像を直接投影する第２投影装置と、を含んでいる。
【０００８】
請求項１に記載の発明によれば、第１スクリーンは透過性を有しており、第２スクリーンは、第１スクリーンの観察面とは反対の裏面側に設けられている。すなわち、第１スクリーンを介して第２スクリーンを観察することができる。
【０００９】
そして、第１投影装置は、第１スクリーンと第２スクリーンの間に設けられて、第１スクリーンの裏面側から第１スクリーンへ映像を直接投影し、第２投影装置は、第１スクリーンと第１投影装置との間の位置、または第１スクリーンと第２スクリーンとの間でかつ第１スクリーンからの距離が第１投影装置と同距離の位置に設けられて、第２スクリーンの観察面となる表面側へ映像を直接投影する。
【００１０】
すなわち、第１投影装置及び第２投影装置は、第１スクリーンと第２スクリーン間に設けられているので、スクリーン間の外に一方を設けるよりも省スペース化が可能となる。
【００１１】
また、スクリーン間に第１投影装置を設けると共に、第１スクリーンと第１投影装置との間の位置、または第１スクリーンと第２スクリーンとの間でかつ第１スクリーンからの距離が第１投影装置と同距離の位置に第２投影装置を設けることにより、他の位置に第２投影装置を設ける場合よりも省スペース化が可能となる。
【００１２】
なお、請求項２に記載の発明のように、映像を投影する映像モードと、光を投影して照明する照明モードと、を有し、映像モードの場合に、第１スクリーン及び第２スクリーンの少なくとも一方へ所定の映像を投影し、照明モードの場合に、第１スクリーン及び第２スクリーンの少なくとも一方へ照明光を投影するように、第１投影装置及び第２投影装置を制御するモード制御手段を更に含むようにしてもよい。これによって、照明が不要となると共に、様々な制御が可能となる。
【００１３】
また、請求項３に記載の発明のように、第１スクリーン、第２スクリーン、第１投影装置、及び第２投影装置のセットを複数セット有し、セット毎に異なる映像を各スクリーンへ投影するように、各セットの第１投影装置及び第２投影装置を各々制御する投影制御手段を更に含むようにしてもよい。このように第１スクリーン、第２スクリーン、第１投影装置、及び第２投影装置のセットを複数セット設けて、セット毎に異なる映像を各スクリーンに投影するように制御することで、１つのセットで映像を投影するようにもスクリーン間の距離を短くすることができ、省スペース化を図ることができる。
【００１４】
また、請求項４に記載の発明のように、人を検出する人検出手段を備え、人検出手段の検出結果に基づいて、人が存在する領域へ光を投影するように、第１投影装置及び第２投影装置の少なくとも一方を制御する光制御手段を更に含むようにしてもよいし、請求項５に記載の発明のように、人を検出する人検出手段を備え、人検出手段の検出結果に基づいて、人の移動に追従して光を投影するように、第１投影装置及び第２投影装置の少なくとも一方を制御する光追従制御手段を更に含むようにしてもよい。
【００１５】
また、請求項６に記載の発明のように、目覚まし時刻を設定する設定手段と、設定手段によって設定された目覚まし時刻に映像又は光を投影するように、第１投影装置及び第２投影装置の少なくとも一方を制御する目覚まし制御手段を更に含むようにしてもよい。
【００１６】
また、請求項７に記載の発明のように、天空を撮影する撮影手段を備え、撮影手段によって撮影された天空映像を投影するように、第１投影装置及び第２投影装置の少なくとも一方を制御する天空映像制御手段を更に含むようにしてもよい。
【００１７】
また、請求項８に記載の発明のように、緊急地震速報を受信する受信手段を備え、受信手段によって緊急地震速報を受信した場合に、第１スクリーン又は第２スクリーンの一方に地震情報を投影し、第１スクリーン又は第２スクリーンの他方に間欠的に光を投影するように、第１投影装置及び第２投影装置を制御する地震制御手段を更に含むようにしてもよい。この場合、地震制御手段は、請求項９に記載の発明のように、非常用電源を更に備えると共に、地震波到達後に、避難情報及びテレビ番組の少なくとも一方を投影するように、第１投影装置及び第２投影装置を更に制御するようにしてもよい。
【００１８】
さらに、本発明は、請求項１０に記載の発明のように、第２スクリーンを部屋の天井に設け、第１スクリーンの一端を天井に固定し、他端を部屋の壁面に固定して壁面から離れるに従って天井に近づくように傾斜して配置し、かつ第１投影装置及び第２投影装置を第１スクリーンと第２スクリーンとの間の壁面に設けるようにしてもよい。
【発明の効果】
【００１９】
以上説明したように本発明によれば、複数のスクリーンと複数の投影装置を備えた映像投影システムの省スペース化を可能にすることができる、という効果がある。
【図面の簡単な説明】
【００２０】
【図１】本発明の実施の形態に係る映像投影システムの概略構成を示す斜視図である。
【図２】（Ａ）は本発明の実施の形態に係る映像投影システムが配置された部屋を天井側から見た見下げ図であり、（Ｂ）は下側から天井を見た見上げ図である。
【図３】本発明の実施の形態に係る映像投影システムの構成を示すブロック図である。
【図４】本発明の実施の形態に係る映像投影システムによって天井に投影される投影内容の一例を示す図である。
【図５】本発明の実施の形態に係る映像投影システムの制御装置で行われる処理の流れの一例を示すフローチャートである。
【発明を実施するための形態】
【００２１】
以下、図面を参照して本発明の実施の形態の一例を詳細に説明する。図１は、本発明の実施の形態に係る映像投影システムの概略構成を示す斜視図である。
【００２２】
図１に示すように、映像投影システム１０は、上天井スクリーン１２及び下天井スクリーン１４を備えている。
【００２３】
上天井スクリーン１２は、入射した光をほぼ全て拡散反射する特性を有し、投影装置１６の映像を投影する一般的なスクリーンが部屋の天井に配置されたものである。
【００２４】
下天井スクリーン１４は、入射した光の一部だけを拡散する特性を持ち、ガラスや樹脂等の透明な部材に映像を投影可能な加工が施された透過型のスクリーンとされ、上天井スクリーン１２の下側に設けられている。すなわち、下天井スクリーン１４の観察面とは反対の裏面側に上天井スクリーン１２が位置する。
【００２５】
本実施の形態では、下天井スクリーン１４は、図１に示すように、一端が部屋の中央部の天井の梁部Ｈに固定され、他端が壁面に固定されている。そして、下天井スクリーン１４は、壁から離れるに従って天井に近づくように傾斜して配置されている。すなわち、下天井スクリーン１４は、部屋の壁側が中央よりも低くなるように傾斜して配置されている。このように下天井スクリーン１４を傾斜させることにより、天井の高さを確保することができる。
【００２６】
そして、上天井スクリーン１２及び下天井スクリーン１４の各々に映像を投影する投影装置（上天井用投影装置１６Ａ及び下天井用投影装置１６Ｂ）１６が、上天井スクリーン１２と下天井スクリーン１４間の壁面に配置されている。このように投影装置１６をスクリーン間の閉じられた空間に配置することで、投影装置１６やその配線を隠蔽することができると共に、動作音や排気熱を居住空間と隔離することができる。
【００２７】
各投影装置１６は、上天井スクリーン１２と下天井スクリーン１４の間に設けるため、反射板を備えた超短投射型のものが望ましい。
【００２８】
上天井用投影装置１６Ａと下天井用投影装置１６Ｂの位置関係は、スクリーン間に下天井用投影装置１６Ｂが配置され、下天井スクリーン１４と下天井用投影装置１６Ｂとの間の位置、または下天井スクリーン１４と上天井スクリーン１２との間でかつ下天井スクリーン１４からの距離が下天井用投影装置１６Ｂと同距離の位置に上天井用投影装置１６Ａが配置される。
【００２９】
より具体的には、本実施の形態では、上天井用投影装置１６Ａと下天井用投影装置１６Ｂは、図１、２に示すように、水平方向に並んで配置されると共に、垂直方向の配置位置が同じ位置又は一部が重なる位置に配置されている。図１では、上天井用投影装置１６Ａと下天井用投影装置１６Ｂが垂直方向の位置の一部が重なる位置に配置した例を示す。これによって、垂直方向の省スペース化が可能となる。なお、垂直方向に沿って並ぶように上天井用投影装置１６Ａと下天井用投影装置１６Ｂを配置するようにしてもよい。例えば、垂直方向に沿って配列し、天井側に下天井用投影装置１６Ｂを配置して下天井用投影装置１６Ｂの下側に上天井用投影装置１６Ａを配置するようにしてもよい。
【００３０】
また、本実施の形態では、上天井スクリーン１２、下天井スクリーン１４、上天井用投影装置１６Ａ、及び下天井用投影装置１６Ｂのセットを、図２に示すように、１部屋に４セット設けられている。すなわち、１セットで天井全体に映像を投影する場合よりもスクリーン間の距離を短くすることができ、省スペース化を図ることができる。なお、本実施の形態では、上述のように４セット設けたものとして説明するが、図１では、そのうち２セットを示す。また、図２（Ａ）は、本発明の実施の形態に係る映像投影システム１０が配置された部屋を天井側から見た見下げ図であり、図２（Ｂ）は下側から天井を見た見上げ図である。
【００３１】
上天井用投影装置１６Ａ及び下天井用投影装置１６Ｂの各々は、制御装置２０によって制御される。制御装置２０には、天空カメラ１８が接続され、天空カメラ１８によって撮影された空映像を各投影装置１６から投影可能とされている。
【００３２】
続いて、本発明の実施の形態に係る映像投影システムの詳細な構成について説明する。図３は、本発明の実施の形態に係る映像投影システム１０の構成を示すブロック図である。
【００３３】
映像投影システム１０は、図３に示すように、制御装置２０を備えており、制御装置２０が複数の投影装置１６を制御することによって、複数のスクリーンへ投影する映像を制御する。本実施の形態では、映像投影システム１０は、照明モードと、映像モードとを備えて、制御装置２０による投影装置１６の制御によって照明モードと、映像モードが実現される。なお、本実施の形態では、８つの投影装置（４つの上天井用投影装置１６Ａと４つの下天井用投影装置１６Ｂ）１６を有するが、図３では、図１に対応して４つの投影装置（２つの上天井用投影装置１６Ａと２つの下天井用投影装置１６Ｂ）１６のみを示す。
【００３４】
制御装置２０は、通信部２２、映像記憶部２４、映像制御部２６、設定記憶部２８、全体制御部３０、及び電源部３２を備えており、全体制御部３０によって映像投影システム１０が統括的に制御される。
【００３５】
通信部２２は、インターネット等のネットワークを介して緊急地震速報サーバ３４と接続されており、地震が発生した場合に地震情報を緊急地震速報サーバ３４より受信し、受信結果を全体制御部３０へ出力する。また、通信部２２は、緊急地震速報サーバ３４以外の外部のサーバ等から投影装置１６から各スクリーンに投影する映像を取得するようにしてもよい。
【００３６】
映像記憶部２４は、投影装置１６から各スクリーンに投影するための各種映像を記憶する。記憶する映像は、通信部２２から取得するようにしてもよいし、各種メディアから取得するようにしてもよい。
【００３７】
映像制御部２６は、複数の投影装置１６が接続されており、各投影装置１６を制御することによって、各スクリーンへの映像の投影や、照明光の投影を行う。映像制御部２６は、映像モードの場合には、例えば、映像記憶部２４に記憶された映像等を各スクリーンへ投影する。このとき、上天井スクリーン１２と下天井スクリーン１４にそれぞれ表示することにより立体的な表示が可能となる。また、照明モードの場合には、映像制御部２６は、上天井用投影装置１６Ａから上天井スクリーン１２に照明光を投影することにより、間接照明として機能させることができる。一方、下天井用投影装置１６Ｂから下天井スクリーン１４に照明光を投影することにより、直接照明として機能させることができる。そして、投影装置１６の投影する領域を制御することにより、スポット的な照明が可能となる。
【００３８】
設定記憶部２８には、入力・設定部３６が接続されている。入力・設定部３６は、映像投影システムの各種設定を行うための操作部として機能し、設定記憶部２８には、入力・設定部３６によって設定された映像投影システム１０の各種設定が記憶される。
【００３９】
設定記憶部２８に記憶される各種設定の一例としては、入力・設定部３６によって目覚まし時間等を入力して、記憶することができる。例えば、目覚まし時間が設定記憶部２８に記憶されている場合には、全体制御部３０が目覚まし時間を監視して、目覚まし時間になったところで、映像制御部２６を介して各投影装置１６を制御することにより、映像や光によって部屋が明るくなるように制御する。或いは、目覚まし時間の所定時間前から徐々に部屋が明るくなるように、映像制御部２６を介して各投影装置１６を制御し、目覚まし時間になったところで最大輝度で照明するように、映像制御部２６を介して各投影装置１６を制御するようにしてもよい。また、このような目覚まし処理によって光や映像を投影する領域を予め設定して、設定記憶部２８に記憶し、対応する領域のみが明るくなるように制御してもよい。
【００４０】
電源部３２は、図示しない商用電源からの電力を、制御装置２０の電力を必要とする各部へ供給する。また、電源部３２には、非常用電源３３が接続されており、停電等によって制御装置２０の各部へ電力供給が不能になった場合に、非常用電源３３の電力を制御装置２０の各部や各投影装置１６等へ供給することが可能とされている。なお、非常用電源３３としては、各種バッテリを適用することが可能である。
【００４１】
また、全体制御部３０には、各部屋の人の有無や、人の移動を検出するために人感センサ３８が接続されていると共に、空を撮影する天空カメラ１８が接続されている。これにより、全体制御部３０は、人感センサ３８の検出結果を用いて、人の存在する領域へ照明光を投影したり、人の移動に追従して照明光を移動させたりすることが可能とされている。また、天空カメラ１８の撮影結果を各スクリーンに表示したり、映像記憶部２４に記憶することが可能とされている。
【００４２】
なお、天空カメラ１８の撮影結果を投影する場合には、各投影装置１６からそのまま撮影結果を上天井スクリーン１２及び下天井スクリーン１４の少なくとも一方へ投影するようにしてもよいが、全体制御部３０が、例えば、空の領域と、雲の領域とを画像処理によって分離して、上天井用投影装置１６Ａから空の領域の映像を上天井スクリーン１２に投影し、下天井用投影装置１６Ｂから雲の領域の映像を下天井スクリーン１４に投影するように映像制御部２６を介して各投影装置１６を制御することにより、より立体的な映像を投影することが可能となる。
【００４３】
続いて、上述のように構成された本発明の実施の形態に係る映像投影システム１０によって天井に投影される投影内容の一例について説明する。図４は、本発明の実施の形態に係る映像投影システム１０によって天井に投影される投影内容の一例を示す図である。
【００４４】
図４（Ａ）では、照明モードで部屋の半分を照明した例を示す。図４（Ａ）の上半分の領域へ照明光を投影するように各投影装置１６を制御することにより、部屋の半分を明るくすることが可能である。このとき、上天井用投影装置１６Ａから上天井スクリーン１２へ光を投影することにより、間接照明として機能させ、下天井用投影装置１６Ｂから下天井スクリーン１４へ照明光を投影することにより、直接照明とすることができる。なお、直接照明の場合には、下天井用投影装置１６Ｂから下天井スクリーン１４への投影角度によっては、下天井用スクリーン１４の真下の領域へ照明光を照射するのではなく、隣接する領域へ照明光を照射することもあり得る。例えば、図４（Ａ）の例では、部屋の反対側（図４（Ａ）の下側）の下天井用投影装置１６Ｂから下天井スクリーン１４へ照明光を照射することで図４（Ａ）の状態とすることもあり得る。
【００４５】
図４（Ｂ）では、例えば、人感センサ３８によって人の存在を検出し、検出した領域のみに照明を行った例を示す。照明方式としては、間接照明（上天井用投影装置１６Ａから上天井スクリーン１２へ光を投影）としてもよいし、直接照明（下天井用投影装置１６Ｂから下天井スクリーン１４へ光を投影）としてもよい。人の位置と照明位置との対応については、照明領域と投影装置１６から投影される映像の位置関係を予め設定記憶部２８等に記憶しておくことにより、人の位置に対応する領域に光を照射することが可能となる。
【００４６】
図４（Ｃ）、（Ｄ）では、天空カメラ１８によって撮影された空映像を投影した例を示す。空の映像は、天空カメラ１８の撮影結果をリアルタイムで投影するようにしてもよいし、映像記憶部２４に予め記憶した中から、入力・設定部３６の操作等によって選択させて、投影するようにしてもよい。例えば、図４（Ｃ）では昼間の天空映像の一例を示し、図４（Ｄ）は夕方の天空映像の一例を示している。ここで、現在が昼間でリアルタイムに投影した結果を投影する場合、図４（Ｃ）のような昼間の現在の天空映像が投影され、映像記憶部２４に記憶された天空映像を投影する（ディレイタイム）場合には、天空カメラ１８で夕方に予め撮影して映像記憶部２４に記憶しておいた、図４（Ｄ）のような夕方の天空映像が投影される。
【００４７】
なお、天空カメラ１８の撮影結果を投影する場合、上述したように、本実施の形態では、上天井スクリーン１２、下天井スクリーン１４、上天井用投影装置１６Ａ、及び下天井用投影装置１６Ｂのセットが４セット設けられているので、例えば、４分割して各セットの上天井スクリーン及び下天井スクリーン１４の少なくとも一方へ分割映像を投影するようにしてもよい。これにより、分割映像が各投影装置１６から投影されて天井で合成される。このように、天空カメラ１８の撮影結果を投影することが可能であるため、天井が透明になったかのように部屋を広く感じさせることができる。また、リアルな映像が投影されるので、ゲリラ豪雨などの雨や落雷などを目で確認して備えることも可能となる。
【００４８】
図４（Ｅ）では、地震情報を投影した例を示す。この場合には、緊急地震速報サーバ３４から通信部２２が緊急地震速報を受信した場合に、全体制御部３０が、映像制御部２６を介して各投影装置１６を制御して、受信した緊急地震速報に含まれる地震情報（例えば、地震波到達時間や、予想される最大震度等）を投影する。例えば、映像制御部２６は、上天井用投影装置１６Ａを制御して通信部２２によって取得した地震情報を上天井スクリーン１２に投影し（図４（Ｅ）では、地震情報として地震波到達までのカウントダウン等の情報を投影した例を示す）、下天井用投影装置１６Ｂを制御して、下天井スクリーン１４へ光を投影し、光の点滅等を行うことによって非常事態を伝えるようにしてもよい。或いは、上天井スクリーン１２と下天井スクリーン１４の投影する内容を逆にしてもよい。
【００４９】
図４（Ｆ）は、地震波到達後に投影する内容の一例を示す。図４（Ｆ）の例では、各テレビチャンネルや、避難用照明を投影した例を示す。地震波到達後にテレビ等の各種メディア情報を投影することにより、地震被害等の情報収集が可能となる。
【００５０】
続いて、上述のように構成された本発明の実施の形態に係る映像投影システム１０の制御装置２０で行われる具体的な処理について説明する。図５は、本発明の実施の形態に係る映像投影システム１０の制御装置２０で行われる処理の流れの一例を示すフローチャートである。なお、図５の処理は、例えば、制御装置２０の電源が投入された場合に開始する。
【００５１】
まず、ステップ１００では、  全体制御部３０が、設定記憶部２８から入力・設定内容を取得してステップ１０２へ移行する。例えば、入力・設定部３６によって目覚まし処理の設定があるか否か等の情報を取得する。
【００５２】
ステップ１０２では、全体制御部３０が、モード指示があるか否かを判定する。具体的には、映像モードや照明モードの指示が、入力・設定部３６が操作されて指示されたか否かを判定し、該判定が肯定された場合にはステップ１０４へ移行し、否定された場合にはステップ１０６へ移行する。
【００５３】
ステップ１０４では、全体制御部３０が、指示されたモード（本実施の形態では、映像モード又は照明モード）を実行するように各部を制御してステップ１０６へ移行する。
【００５４】
例えば、映像モードを実行する場合には、全体制御部３０は、指定された映像や、天空カメラ１８によって撮影された天空映像を投影するように、映像制御部２６を介して各投影装置１６を制御する。天空カメラ１８の撮影結果を投影する場合には、図４（Ｃ）、（Ｄ）のような映像を投影する。投影するスクリーン（上天井スクリーン１２又は下天井スクリーン１４）は双方に映像を投影するようにしてもよいし、何れか一方のみに映像を投影するようにしてもよい。
【００５５】
一方、照明モードを実行する場合には、全体制御部３０は、指定された部分に照明光を投影するように各投影装置１６を制御する。本実施の形態では、上天井用投影装置１６Ａによって上天井スクリーン１２に照明光を投影すれば間接照明となり、下天井用投影装置１６Ｂによって下天井スクリーン１４に照明光を投影すれば直接照明となる。そして、例えば、図４（Ａ）に示すように、照明モードで部屋の半分を照明するように各投影装置１６を制御するようにしてもよいし、図４（Ｂ）に示すように、人感センサ３８によって検出した人の位置のみに照明光を投影するようにしてもよい。なお、人感センサ３８の検出結果を用いて照明するか否かは、入力・設定部３６の操作によって選択可能にしてもよい。また、
【００５６】
ステップ１０６では、全体制御部３０が目覚まし設定があるか否かを判定する。すなわち、全体制御部３０は、設定記憶部２８に目覚まし処理の設定がされている否かを判定し、該判定が肯定された場合にはステップ１０８へ移行し、否定された場合にはステップ１１０へ移行する。
【００５７】
ステップ１０８では、全体制御部３０が目覚まし時刻になったか否かを判定し、該判定が否定された場合にはステップ１１２へ移行し、肯定された場合にはステップ１１０へ移行する。
【００５８】
ステップ１１０では、全体制御部３０が、映像制御部２６を介して各投影装置１６を制御することにより目覚まし処理を実行してステップ１１２へ移行する。
【００５９】
目覚まし処理の一例としては、上述したように、目覚まし時間になったところで、全体制御部３０が、映像制御部２６を介して各投影装置１６を制御することにより、映像や光によって部屋が明るくなるように制御するようにしてもよしい、目覚まし時間の所定時間前から徐々に部屋が明るくなるように、映像制御部２６を介して各投影装置１６を制御し、目覚まし時間になったところで最大輝度で照明するように、映像制御部２６を介して各投影装置１６を制御するようにしてもよい。このように、音による目覚めではなく段階的に明るくなる映像や光による目覚めの方が自然に近く、快適に目覚めることができる。また、音による目覚ましよりも特定の人のみを覚醒させることができる。
【００６０】
なお、目覚まし処理を行う領域が設定記憶部２８に予め記憶されている場合には、対応する領域のみが明るくなるように制御してもよい。
【００６１】
また、目覚まし処理を行う場合には、スクリーンに光のみを投影するようにしてもよいし、予め定めた映像パターンを投影するようにしてもよい。映像パターンとしては、天空カメラ１８の撮影結果を投影するようにしてもよい。この場合には、目覚まし開始時刻の実際の空が暗い場合には、予め撮影して映像記憶部２４に記憶された天空映像を投影するようにしてもよい。また、近くで就寝中の人がいる場合には、映像のうち、就寝中の人に近い部分は明るさを落とし、明るさの漏れを抑制するように投影装置１６を制御するようにしてもよい。
【００６２】
また、他の映像パターンとしては、人に近いスクリーン（下天井スクリーン１４）に人から近い物の映像（例えば、木の枝葉や雲）を投影し、人から遠いスクリーン（上天井スクリーン１２）には、人から遠い青空や、星等の映像を投影して、遠近感を表現するようにしてもよい。
【００６３】
一方、ステップ１１２では、全体制御部３０が、通信部２２によって緊急地震速報を受信したか否かを判定し、該判定が否定された場合にはステップ１１６へ移行し、肯定された場合にはステップ１１４へ移行する。
【００６４】
ステップ１１４では、全体制御部３０が地震報知処理を実行してステップ１１６へ移行する。地震報知処理としては、例えば、図４（Ｅ）に示すように、地震情報を投影して、光の点滅等を行ったり、地震波到達後には、図４（Ｆ）に示すように、各テレビチャンネルや、避難用照明を投影する。
【００６５】
そして、ステップ１１６では、全体制御部３０が、制御装置２０の電源がオフされた否かを判定し、該判定が否定された場合にはステップ１００に戻って上述の処理を繰り返し、判定が肯定された場合には、所定の終了処理等を経て一連の処理を終了する。
【００６６】
なお、上記の実施の形態における投影装置１６の数やスクリーンの数は、上記に限定されるものではない。
【００６７】
また、上記の実施の形態では、上天井スクリーン１２及び下天井スクリーン１４の２つのスクリーンの場合について説明したが、これに限るものではなく、３枚以上のスクリーンと、対応する投影装置１６を設けるようにしてもよい。３枚以上の場合には、両端部のどちらか一方のスクリーンへ映像を投影する投影装置１６をスクリーンの裏側から映像を投影することにより、全ての投影装置１６が同じ方向から映像を投影する場合よりも、省スペース化を図ることができる。
【００６８】
また、上記の実施形態における制御装置２０で行われる処理は、プログラムとして記憶媒体に記憶して流通可能なようにしてもよいし、ハードウエアで行われる処理としてもよい。
【符号の説明】
【００６９】
１０    映像投影システム
１２    上天井スクリーン
１４    下天井スクリーン
１６    投影装置
１６Ａ    上天井用投影装置
１６Ｂ    下天井用投影装置
１８    天空カメラ
２０    制御装置
２２    通信部
２６    映像制御部
２８    設定記憶部
３３    非常用電源
３６    入力・設定部
３８    人感センサ
【図１】
0006549837.tif 000002
【図２】
0006549837.tif 000003
【図３】
0006549837.tif 000004
【図４】
0006549837.tif 000005
【図５】
0006549837.tif 000006